(57)【要約】【課題】潤滑油中、高滑り速度、高面圧の条件下においても、摺動性に優れた摺動面を有する転がり軸受用保持器およびこの保持器を用いた転がり軸受を提供する。【解決手段】油潤滑環境下で使用され、鉄系金属材上に形成された摺動層を有する転がり軸受用保持器であり、摺動層は鉄系金属材表面に耐熱性樹脂および第一のフッ素樹脂を含む下地層を形成し、この下地層表面に第二のフッ素樹脂層を形成し、下地層および第二のフッ素樹脂層を焼成後、放射線照射して形成された摺動層であり、耐熱性樹脂が焼成時において熱分解しない樹脂であり、放射線照射後の第二のフッ素樹脂の融点が２６５〜３１０℃である。【選択図】図５
2015194250.tif 000002
【特許請求の範囲】
【請求項１】
油潤滑環境下で使用される転がり軸受の転動体を保持する転がり軸受の内・外輪の間で軸受荷重を支持する転動体を回転自在に保持する転がり軸受用保持器であって、
前記転がり軸受用保持器の表面は、基材と、この基材表面に形成されたフッ素樹脂被膜による摺動層とを有し、
前記摺動層は、前記基材表面に形成される耐熱性樹脂および第一のフッ素樹脂を含む下地層と、この下地層表面に形成される第二のフッ素樹脂層と、前記下地層および前記第二のフッ素樹脂層を焼成後、放射線照射して形成される摺動層であり、
前記耐熱性樹脂は前記焼成時において熱分解しない樹脂であり、放射線照射後の前記第二のフッ素樹脂の融点は２６５〜３１０℃であることを特徴とする転がり軸受用保持器。
【請求項２】
前記第二のフッ素樹脂層を架橋する照射温度が前記第二のフッ素樹脂の放射線照射前の融点より３０℃低い温度から該融点の２０℃高い温度以下であることを特徴とする請求項１記載の転がり軸受用保持器。
【請求項３】
前記放射線が電子線であることを特徴とする請求項１または請求項２記載の転がり軸受用保持器。
【請求項４】
前記第二のフッ素樹脂がポリテトラフルオロエチレン樹脂であることを特徴とする請求項１から請求項３のいずれか１項記載の転がり軸受用保持器。
【請求項５】
前記第二のフッ素樹脂は、未架橋ポリテトラフルオロエチレン樹脂に比較して、固体19Ｆ  Ｍａｇｉｃ  ａｎｇｌｅ  Ｓｐｉｎｎｉｎｇ（ＭＡＳ）核磁気共鳴（ＮＭＲ）チャートに出現する化学シフト値（δｐｐｍ）が前記未架橋ポリテトラフルオロエチレン樹脂の−８２ｐｐｍ、−１２２ｐｐｍ、−１２６ｐｐｍ、に加えて、−６８ｐｐｍ、−７０ｐｐｍ、−７７ｐｐｍ、−８０ｐｐｍ、−１０９ｐｐｍ、−１１２ｐｐｍ、−１５２ｐｐｍ、および−１８６ｐｐｍから選ばれる少なくとも１つの化学シフト値が出現するか、または−８２ｐｐｍに出現する化学シフト値のシグナル強度が、前記未架橋ポリテトラフルオロエチレン樹脂のシグナル強度に比較して、増加することを特徴とする請求項４記載の転がり軸受用保持器。
【請求項６】
前記摺動層の層厚さが１０μｍ以上４０μｍ未満であることを特徴とする請求項１から請求項５のいずれか１項記載の転がり軸受用保持器。
【請求項７】
前記基材が鉄系金属材料であることを特徴とする請求項１から請求項６のいずれか１項記載の転がり軸受用保持器。
【請求項８】
回転運動を出力するクランク軸を支持し、直線往復運動を回転運動に変換するコンロッドの端部に設けられる係合穴、または前記クランク軸に取り付けられる転がり軸受において、
前記転がり軸受の転動体を保持する保持器が請求項１から請求項７のいずれか１項記載の転がり軸受用保持器であることを特徴とする転がり軸受。
【発明の詳細な説明】
【技術分野】
【０００１】
本発明は転がり軸受用保持器および転がり軸受に関し、特に保持器表面の耐摩耗性に優れ、その優れた耐摩耗性を長期間維持できる転がり軸受用保持器、この保持器を用いた転がり軸受に関する。
【背景技術】
【０００２】
転がり軸受や保持器などの摺動面は、潤滑油や潤滑グリースなどが供給されて転がり摩擦またはすべり摩擦を低減している。また、更に摺動性を向上させるための表面処理が摺動面になされている。表面処理の１つにフッ素系樹脂被膜を形成する方法がある。例えば、摺動部材の摺動部に形成したポリテトラフルオロエチレン（以下、ＰＴＦＥという）被膜に放射線を照射し、５０〜２５０ｋＧｙの線量を与えることにより、耐摩耗性および基材との密着性を高める方法が知られている（特許文献１）。
【０００３】
ポリイミド樹脂、銅、アルミニウムおよびそれらの合金等の金属材料、セラミックス、およびガラスから選択された、耐熱性に優れた基材の表面にフッ素樹脂の被膜を形成し、フッ素樹脂の融点以上の温度で電離性放射線を照射する改質フッ素樹脂被覆材の製造方法が知られている（特許文献２）。
【０００４】
無潤滑軸受やダイナミックシール等に使用されるフッ素樹脂からなる摺動部材として、フッ素樹脂をその結晶融点以上に加熱し、酸素不在のもとで電離性放射線を照射したフッ素樹脂が知られている（特許文献３）。
【０００５】
一方、自動車、バイク等のエンジンに用いられる転がり軸受、特に保持器付き針状ころ軸受があり、この保持器表面の焼付きを防止するために保持器表面に銀めっきがなされている。この保持器付き針状ころ軸受は、針状ころを等間隔に保持するプレス製金属保持器から構成され、この保持器の表面全体に銀めっきが施されている（特許文献４）。
【先行技術文献】
【特許文献】
【０００６】
【特許文献１】特開２０１０−１５５４４３号公報
【特許文献２】特開２００２−２２５２０４号公報
【特許文献３】特開平９−２７８９０７号公報
【特許文献４】特許第５１８９４２７号公報
【発明の概要】
【発明が解決しようとする課題】
【０００７】
しかしながら、特許文献１に示す製造方法は、無潤滑下、低面圧の条件下で使用するため、基材との密着性を高める方法であり、各種機械の摺動面に要求される潤滑油中、高滑り速度、高面圧の条件の場合は適用が困難である。
特許文献２に記載のフッ素樹脂被膜は、フッ素樹脂の架橋反応およびフッ素樹脂と基材表面との化学反応を同時に生じさせ、それによって両者の強固な接着を達成することを目的としており、転がり軸受や保持器などの鉄基材の場合、基材表面との化学反応を生成することが困難であり、強固な接着は達成できないという問題がある。
特許文献３に記載の摺動部材は、無潤滑軸受やダイナミックシール等に使用され、被膜の形状ではなくフッ素樹脂からなる摺動部材に関する。そのため、被覆材としての特性は不明であり、更に潤滑油中、高滑り速度、高面圧を要求される転がり軸受用途に適用が困難である。
特許文献４に記載の銀めっきが施されている保持器においては、摺動面の摩耗量の経時変化がより少ない保持器が求められており、銀めっきに代わる摺動材が要求されている。また、銀めっきは、エンジンオイル中に含まれる硫黄成分によって硫化するという問題を有している。保持器表面に施された銀めっきが硫化すると、保持器から剥離や脱落が発生し、保持器の素地が露出する。
【０００８】
本発明はこのような問題に対処するためになされたものであり、潤滑油中、高滑り速度、高面圧の条件下においても、摺動性に優れた摺動面を有する転がり軸受用保持器およびこの保持器を用いた転がり軸受の提供を目的とする。
【課題を解決するための手段】
【０００９】
本発明の転がり軸受用保持器は油潤滑環境下で使用される転がり軸受の転動体を保持する転がり軸受用保持器である。この転がり軸受用保持器は基材とこの基材上に形成される摺動層とから構成される。この摺動層は、耐熱性樹脂および第一のフッ素樹脂を含む下地層と、この下地層表面に形成される第二のフッ素樹脂層と、下地層および第二のフッ素樹脂層を焼成後、放射線照射して形成される摺動層である。また、上記耐熱性樹脂は焼成時において熱分解しない樹脂であり、放射線照射後の第二のフッ素樹脂の融点は２６５〜３１０℃であることを特徴とする。
【００１０】
本発明の転がり軸受用保持器表面に形成される摺動層の上記第二のフッ素樹脂層を放射線照射する照射温度が上記第二のフッ素樹脂層の放射線照射前の融点より３０℃低い温度から該融点の２０℃高い温度以下であることを特徴とする。また、上記放射線が電子線であり、上記第二のフッ素樹脂がポリテトラフルオロエチレン樹脂であることを特徴とする。
【００１１】
電子線照射して得られる上記第二のフッ素樹脂は、未架橋ポリテトラフルオロエチレン樹脂に比較して、固体19Ｆ  Ｍａｇｉｃ  ａｎｇｌｅ  Ｓｐｉｎｎｉｎｇ（ＭＡＳ）核磁気共鳴（ＮＭＲ）チャートに出現する化学シフト値（δｐｐｍ）が上記未架橋ポリテトラフルオロエチレン樹脂の−８２ｐｐｍ、−１２２ｐｐｍ、−１２６ｐｐｍに加えて、−６８ｐｐｍ、−７０ｐｐｍ、−７７ｐｐｍ、−８０ｐｐｍ、−１０９ｐｐｍ、−１１２ｐｐｍ、−１５２ｐｐｍ、および−１８６ｐｐｍから選ばれる少なくとも１つの化学シフト値が出現するか、または−８２ｐｐｍに出現する化学シフト値であるシグナルのシグナル強度が、上記未架橋ポリテトラフルオロエチレン樹脂のシグナル強度に比較して、増加することを特徴とする。また、上記摺動層の層厚さは１０μｍ以上４０μｍ未満であることを特徴とする。
【００１２】
本発明の転がり軸受用保持器は、基材が鉄系金属材料であることを特徴とする。
【００１３】
本発明の転がり軸受は、上記本発明の転がり軸受用保持器を使用した転がり軸受であり、特に、エンジンのコンロッド大端部用転がり軸受、コンロッド小端部用転がり軸受またはクランクシャフト支持軸用転がり軸受であることを特徴とする。
【発明の効果】
【００１４】
本発明の転がり軸受用保持器は、鉄系金属材上に形成される摺動層を有し、この摺動層が下地層とフッ素樹脂層とからなり、このフッ素樹脂層は第二のフッ素樹脂の融点が２６５〜３１０℃であるので、潤滑油中、高滑り速度、高面圧の条件下においても摩耗を抑制でき軸受の寿命を長期間にわたり維持できる。この摺動層を有する鉄系金属材製保持器は、銀めっき層を有する保持器に比較して、同等以上の摺動性を示す。また、この鉄系金属材製保持器を用いた転がり軸受は、潤滑油中で使用されるコンロッド用転がり軸受として、潤滑油中での摺動性に優れる。
【図面の簡単な説明】
【００１５】
【図１】ＰＴＦＥ樹脂未照射時のＮＭＲチャートである。
【図２】ＰＴＦＥ樹脂に５００ｋＧｙ照射時のＮＭＲチャートである。
【図３】ＰＴＦＥ樹脂に１０００ｋＧｙ照射時のＮＭＲチャートである。
【図４】架橋に伴なう−８２ｐｐｍの規格化シグナル強度比である。
【図５】針状ころを転動体とする転がり軸受用保持器の斜視図である。
【図６】針状ころ軸受を示す斜視図である。
【図７】４サイクルエンジンの縦断面図である。
【図８】摩耗量試験装置の概要を示す図である。
【発明を実施するための形態】
【００１６】
本発明の転がり軸受用保持器は、基材と、この基材上に形成されて転動体と摺動する摺動層とから構成される。基材としては、金属材料であることが好ましく、特に鉄系金属材料であることが好ましい。
鉄系金属材料は、転がり軸受などに使用される軸受鋼、浸炭鋼、機械構造用炭素鋼、冷間圧延鋼、または熱間圧延鋼等が挙げられる。鉄系金属材料は摺動部材の形状に加工後、焼入焼戻し処理することで所定の表面硬度に調整する。例えばクロムモリブデン鋼（ＳＣＭ４１５）を用いた鉄系金属材製保持器の場合、Ｈｖ値が４８４〜５９５に調整した鉄系金属材料を使用することが好ましい。
【００１７】
摺動層は、上記鉄系金属材料表面に形成された下地層とこの下地層表面に形成された架橋フッ素樹脂層からなる。
下地層は、耐熱性樹脂および第一のフッ素樹脂を含む混合物層であり、鉄系金属材料と架橋フッ素樹脂層との密着性を向上させる。
【００１８】
耐熱性樹脂は、下地層および上層膜の焼成時において熱分解しない樹脂である。ここで熱分解しないとは、下地層および上層膜を焼成する温度および時間内において、熱分解を開始しない樹脂である。また耐熱性樹脂は、鉄系金属材料との密着性に優れた官能基および第一のフッ素樹脂とも反応する官能基を分子主鎖内または分子端部に有する樹脂であることが好ましい。
耐熱性樹脂としては、エポキシ樹脂、ポリエステル樹脂、アミドイミド樹脂、イミド樹脂、エーテルイミド樹脂、イミダゾール樹脂、ポリエーテルスルホン樹脂、ポリスルホン樹脂、ポリエーテルエーテルケトン樹脂、シリコーン樹脂等が挙げられる。また、フッ素樹脂が塗膜形成時の収縮を防ぐウレタン樹脂、アクリル樹脂を併用することができる。
【００１９】
第一のフッ素樹脂は、下地層を形成する水系塗布液に粒子状に分散できる樹脂であれば使用できる。第一のフッ素樹脂としては、ＰＴＦＥ粒子、テトラフルオロエチレン−パーフルオロ（アルキルビニルエーテル）共重合体（以下、ＰＦＡという）粒子、テトラフルオロエチレン−ヘキサフルオロプロピレン共重合体（以下、ＦＥＰという）粒子、またはこれらの２種以上が好ましく使用できる。
【００２０】
下地層を形成する水系塗布液には、耐熱性樹脂および第一のフッ素樹脂以外に、ポリオキシエチレンアルキルエーテルなどの非イオン界面活性剤、カーボンブラックなどの無機顔料、Ｎ−メチル−２−ピロリドンなどの水に任意に混合する非プロトン系極性溶剤、主溶剤としての水が配合される。また、消泡剤、乾燥剤、増粘剤、レベリング剤、ハジキ防止剤などを配合できる。下地層を形成する水系塗布液としては、例えば、ダイキン工業株式会社製プライマー塗料ＥＫシリーズ、ＥＤシリーズが挙げられる。
【００２１】
第二のフッ素樹脂層は、下地層の表面に形成され放射線により架橋できるフッ素樹脂の層である。第一のフッ素樹脂と第二のフッ素樹脂とは同一であっても異なっていてもよいが、同一のフッ素樹脂を使用することが好ましい。第二のフッ素樹脂としては、ＰＴＦＥ、ＰＦＡ、ＦＥＰ、エチレン・テトラフルオロエチレン共重合体（ＥＴＦＥ）等が挙げられる。これらの樹脂は単独でも混合物としても使用できる。また、これらの中で、耐熱性および摺動性に優れるＰＴＦＥが好ましい。
【００２２】
第二のフッ素樹脂層は、ＰＴＦＥ樹脂粒子を分散させた水分散液を塗布乾燥することにより得られる。ＰＴＦＥ樹脂粒子を分散させた水分散液としては、例えば、ダイキン工業株式会社製ポリフロン＝ＰＴＦＥエナメルが挙げられる。
【００２３】
鉄系金属材料表面への摺動層の形成方法について以下説明する。
（１）鉄系金属材料の表面処理
鉄系金属材料は、摺動層形成前にショットブラスト等を用いて、予め金属材料表面の粗さ（Ｒａ）を１．０〜２．０μｍに調整し、その後、石油ベンジン等の有機溶剤内に浸漬させ、５分〜１時間程度超音波脱脂を行なうことが好ましい。
（２）下地層を形成する水系塗布液の塗装
下地層を形成する水系塗布液を塗布前に、水分散液の分散性を向上させるために、ボールミルを用いて、例えば４０ｒｐｍで１時間回転させ再分散する。この再分散した水系塗布液を１００メッシュの金網を用いて濾過し、スプレー法を用いて塗布する。
（３）下地層を形成する水系塗布液の乾燥
水系塗布液を塗布後乾燥する。乾燥条件としては、例えば９０℃の恒温槽内で３０分程度の乾燥が好ましい。乾燥後の下地層の層厚さは５μｍ以上２０μｍ未満、好ましくは１０〜１５μｍの範囲内である。５μｍ未満下であると、被膜の密着不良による剥離や初期摩耗の摩耗により、金属基材が露出するおそれがある。２０μｍ以上であると、被膜形成時のクラック発生や運転中に剥離して潤滑状態が悪化するおそれがある。層厚さを５μｍ以上２０μｍ未満の範囲とすることで、初期摩耗による金属基材の露出を防止でき、運転中における剥離を長期間にわたって防止できる。
【００２４】
（４）第二のフッ素樹脂層を形成する水系塗布液の塗装
第二のフッ素樹脂層を形成する水系塗布液前に、水分散液の分散性を向上させるために、ボールミルを用いて、例えば４０ｒｐｍで１時間回転させ再分散する。この再分散した水系塗布液を１００メッシュの金網を用いて濾過し、スプレー法を用いて塗装する。
（５）第二のフッ素樹脂層を形成する水系塗布液の乾燥
水系塗布液を塗布後乾燥する。乾燥条件としては、例えば９０℃の恒温槽内で３０分程度の乾燥が好ましい。乾燥後の第二のフッ素樹脂層の層厚さは５μｍ以上２０μｍ未満、好ましくは１０〜１５μｍの範囲内である。５μｍ未満であると、被膜の密着不良による剥離や初期摩耗の摩耗により、金属基材が露出するおそれがある。２０μｍ以上であると、被膜形成時のクラック発生や運転中に剥離して潤滑状態が悪化するおそれがある。層厚さを５μｍ以上２０μｍ未満の範囲とすることで、初期摩耗による金属基材の露出を防止でき、運転中における剥離を長期間にわたって防止できる。
なお、下地層および第二のフッ素樹脂層の塗装方法としては、スプレー法以外にディッピング法、刷毛塗り法など被膜を形成できるものであれば使用できる。被膜の表面粗さ、塗布形状をできるだけ小さくし、層厚さの均一性を考慮するとスプレー法が好ましい。
【００２５】
（６）焼成
第二のフッ素樹脂層の乾燥後、加熱炉内、空気中で第二のフッ素樹脂の融点以上の温度、好ましくは（融点（Ｔｍ）＋３０℃）〜（融点（Ｔｍ）＋１００℃）、５〜４０分の範囲内で焼成する。第一および第二のフッ素樹脂がＰＴＦＥの場合、好ましくは３８０℃の加熱炉内で３０分間焼成する。
【００２６】
（７）第二のフッ素樹脂層の低融点化
焼成後の被膜に、照射温度が第二のフッ素樹脂層の放射線照射前の融点より３０℃低い温度から該融点の２０℃高い温度以下であり、被膜の融点が２６５〜３１０℃、好ましくは２７２〜３０１℃となるように放射線を照射してフッ素樹脂層を低融点化させる。放射線照射によりフッ素樹脂が架橋して融点を低下させることができる。放射線としては、α線（α崩壊を行なう放射性核種から放出されるヘリウム−４の原子核の粒子線）、β線（原子核から放出される陰電子および陽電子）、電子線（ほぼ一定の運動エネルギーを持つ電子ビーム；一般に、熱電子を真空中で加速してつくる）などの粒子線；γ線（原子核、素粒子のエネルギー準位間の遷移や素粒子の対消滅、対生成などによって放出・吸収される波長の短い電磁波）などの電離放射線を用いることができる。これらの放射線の中でも、架橋効率や操作性の観点から、電子線およびγ線が好ましく、電子線がより好ましい。特に電子線は、電子線照射装置が入手しやすいこと、照射操作が簡単であること、連続的な照射工程を採用することができることなどの利点を有している。放射線の使用以外にもラジカル発生剤あるいはプラズマ照射の使用によっても同様の効果を得られる。
【００２７】
照射温度が第二のフッ素樹脂層の放射線照射前の融点より３０℃低い温度から該融点の２０℃高い温度以下の温度範囲以外ではフッ素樹脂層の低融点化が十分に進まない。照射線量は２５０〜７５０ｋＧｙとすることが好ましい。また、照射雰囲気は低融点化を効率的に行なうため、真空引きや不活性ガス注入により照射領域の酸素濃度を低くする必要がある。酸素濃度の範囲は０〜３００ｐｐｍが好ましい。酸素濃度を以上のような濃度範囲に維持するには操作性やコスト面の観点から窒素ガス注入による不活性雰囲気が好ましい。
照射の結果、融点が３１０℃よりも高いと、摩耗量が大きく、金属基材が露出してしまう場合がある。また、融点が２６５℃よりも低いと、被膜の硬度が上昇することで、脆化し、剥離等の被膜損傷が起こりやすくなる場合がある。
【００２８】
次に本発明の転がり軸受表面の第二のフッ素樹脂層が架橋構造を有していることについて説明する。一般に、フッ素系樹脂、特にポリテトラフルオロエチレン樹脂は化学的に非常に安定で、有機溶媒などに対しても極めて安定であるため、分子構造あるいは分子量などを同定することは困難である。さらに本発明の摺動部材は架橋による三次元構造を形成しているため、さらに溶媒に溶解し難くなり、構造分析はいっそう困難となる。しかしながら19Ｆ Ｍａｇｉｃ  ａｎｇｌｅ  Ｓｐｉｎｎｉｎｇ（ＭＡＳ）核磁気共鳴（ＮＭＲ）法（Ｈｉｇｈ  ｓｐｅｅｄ  ｍａｇｉｃ  ａｎｇｌｅ  ｎｕｃｌｅａｒ  ｍａｇｎｅｔｉｃ  ｒｅｓｏｎａｎｃｅ）による測定ならびに解析により、本発明の摺動部材の三次元構造を同定することが可能となる。
【００２９】
測定は、日本電子株式会社製ＮＭＲ装置ＪＮＭ−ＥＣＸ４００を用いて、好適な測定核種（19Ｆ）、共鳴周波数（３７６．２ＭＨｚ）、ＭＡＳ（Ｍａｇｉｃ  Ａｎｇｌｅ  Ｓｐｉｎｎｉｎｇ）回転数（１５および１２ｋＨｚ）、サンプル量（４ｍｍ固体ＮＭＲ管に約７０μＬ）、待ち時間（ｒｅｃｙｃｌｅ  ｄｅｌａｙ  ｔｉｍｅ）(１０秒)ならびに測定温度（約２４℃）で行なった。結果を図１〜図４に示す。図１は放射線照射を行なっていない第二のフッ素樹脂層（０ｋＧｙ）のＮＭＲ、図２は第二のフッ素樹脂層に５００ｋＧｙ照射時のＮＭＲ、図３は第二のフッ素樹脂層に１０００ｋＧｙ照射時のＮＭＲチャートの拡大図をそれぞれ表す。図１〜図３において上段はＭＡＳ回転数１５ｋＨｚ、下段はＭＡＳ回転数１２ｋＨｚをそれぞれ表す。図４は架橋に伴い強度が増加する−８２ｐｐｍでのシグナル強度を主シグナルである−１２２ｐｐｍでのシグナル強度で規格化し、グラフにしたものである。図４において上段は測定値、下段はグラフを表す。このシグナル強度比が高いほど架橋度が進行しているものと考えられる。
【００３０】
放射線照射を行なっていない第二のフッ素樹脂層（０ｋＧｙ）を上記の条件で測定すると、ＭＡＳ回転数１５ｋＨｚにおいて、化学シフト値（δｐｐｍ）である、−８２ｐｐｍ、−１２２ｐｐｍ、−１６２ｐｐｍのシグナルが観測された（図１上段）。また、ＭＡＳ回転数１２ｋＨｚにおいて、同じく、−５８ｐｐｍ、−８２ｐｐｍ、−９０ｐｐｍ、−１２２ｐｐｍ、−１５４ｐｐｍ、−１８６ｐｐｍのシグナルが観測された（図１下段）。−１２２ｐｐｍは−ＣＦ2−ＣＦ2−結合におけるＦ原子のシグナルであり、−８２ｐｐｍは−ＣＦ2−ＣＦ3結合における−ＣＦ3のＦ原子のシグナルであることが知られている。このことから、ＭＡＳ回転数１５ｋＨｚにおける−８２ｐｐｍおよび−１６２ｐｐｍ、ＭＡＳ回転数１２ｋＨｚにおける−５８ｐｐｍ、−９０ｐｐｍ、−１５４ｐｐｍ、−１８６ｐｐｍのシグナルはスピニングサイドバンド（Ｓｐｉｎｎｉｎｇ  Ｓｉｄｅ  Ｂａｎｄ：ＳＳＢ）である。なお、−１２２ｐｐｍ〜−１３０ｐｐｍの領域で−１２２ｐｐｍのシグナルに隠れてブロードになっているシグナルが観測されている。このシグナルは−１２６ｐｐｍに観測されるはずの−ＣＦ2−ＣＦ3結合における−ＣＦ2−のＦ原子のシグナルである。従って、放射線照射を行なっていない未架橋の第二のフッ素樹脂層は−ＣＦ2−ＣＦ2−結合に帰属する−１２２ｐｐｍ、−ＣＦ2−ＣＦ3に帰属する−８２ｐｐｍおよび−１２６ｐｐｍのシグナルを有するＮＭＲチャートで表される。
【００３１】
５００ｋＧｙの線量の放射線を照射した第二のフッ素樹脂層（５００ｋＧｙ）の固体19Ｆ ＭＡＳ ＮＭＲを未架橋の第二のフッ素樹脂層と同じ条件で測定すると、スピニングサイドバンドを除いて、−６８ｐｐｍ、−７０ｐｐｍ、−８０ｐｐｍ、−８２ｐｐｍ、−１０９ｐｐｍ、−１１２ｐｐｍ、−１２２ｐｐｍ、−１２６ｐｐｍ、−１５２ｐｐｍ、および−１８６ｐｐｍのシグナルが観測された（図２上段および図２下段）。−６８ｐｐｍ、−７０ｐｐｍ、−８０ｐｐｍ、−１０９ｐｐｍ、−１１２ｐｐｍ、−１５２ｐｐｍ、および−１８６ｐｐｍのシグナルが放射線照射により新たに出現し、−８２ｐｐｍのシグナルはそのシグナル強度が未照射より増加していた。
【００３２】
１０００ｋＧｙの線量の放射線を照射した第二のフッ素樹脂層（１０００ｋＧｙ）の固体19Ｆ ＭＡＳ ＮＭＲを未架橋のポリテトラフルオロエチレン樹脂と同じ条件で測定すると、スピニングサイドバンドを除いて、−６８ｐｐｍ、−７０ｐｐｍ、−７７ｐｐｍ、−８０ｐｐｍ、−８２ｐｐｍ、−１０９ｐｐｍ、−１１２ｐｐｍ、−１２２ｐｐｍ、−１２６ｐｐｍ、−１５２ｐｐｍ、および−１８６ｐｐｍのシグナルが観測された（図３上段および図３下段）。−６８ｐｐｍ、−７０ｐｐｍ、−７７ｐｐｍ、−８０ｐｐｍ、−１０９ｐｐｍ、−１１２ｐｐｍ、−１５２ｐｐｍ、および−１８６ｐｐｍのシグナルが放射線照射により新たに出現し、−８２ｐｐｍのシグナルはそのシグナル強度が５００ｋＧｙ照射時より増加していた。
【００３３】
上記シグナルは、帰属するＦ原子を下線で表せば、例えば−７０ｐｐｍは＝ＣＦ−ＣＦ3、−１０９ｐｐｍは−ＣＦ2−ＣＦ（ＣＦ3）−ＣＦ2−、−１５２ｐｐｍは＝ＣＦ−ＣＦ＝、−１８６ｐｐｍは≡ＣＦに帰属されることが知られている（Ｂｅａｔｅ  Ｆｕｃｈｓ  ａｎｄ  Ｕｌｒｉｃｈ  Ｓｃｈｅｌｅｒ．，  Ｂｒａｎｃｈｉｎｇ  ａｎｄ  Ｃｒｏｓｓ−Ｌｉｎｋｉｎｇ  ｉｎ  Ｒａｄｉａｔｉｏｎ−Ｍｏｄｉｆｉｅｄ  Ｐｏｌｙ（ｔｅｔｒａｆｌｕｏｒｏｅｔｈｙｌｅｎｅ）：Ａ  Ｓｏｌｉｄ−Ｓｔａｔｅ  ＮＭＲ  Ｉｎｖｅｓｔｉｇａｔｉｏｎ．Ｍａｃｒｏｍｏｌｅｃｕｌｅｓ，３３，１２０−１２４．２０００年）。
【００３４】
これらのシグナルは化学的に非等価なフッ素原子の存在を示すと同時に第二のフッ素樹脂層が架橋による三次元構造を形成していることを示す。また、上記文献によれば、観測されるシグナルのシグナル強度は照射線量５００ｋＧｙよりも照射線量１０００ｋＧｙの方が強くなり、少なくとも照射線量３０００ｋＧｙまでは、照射線量の増加に伴ってシグナルのシグナル強度が高くなることが知られている。なお、上記文献に記載されていないシグナルについては、放射線の照射条件の違いにより第二のフッ素樹脂層の構造が異なっていることが考えられるが、架橋構造が形成されていることは、＝ＣＦ−ＣＦ3、−ＣＦ2−ＣＦ（ＣＦ3）−ＣＦ2−、＝ＣＦ−ＣＦ＝、≡ＣＦ等の構造が存在することから明白である。
【００３５】
図４に示すように、規格化シグナル強度比は、照射線量が増加するに従って増加している。照射線量が５００ｋＧｙで明らかに架橋構造が出現し、照射線量が１０００ｋＧｙに２倍になると、規格化シグナル強度比は約３倍になっており、架橋がより進行していることが分かった。
【００３６】
上述した方法により得られた摺動層の層厚さは、１０μｍ以上４０μｍ未満、好ましくは１５μｍ以上３０μｍ未満である。層厚さが１０μｍ未満であると、被膜の密着不良による剥離や初期摩耗の摩耗により、金属基材が露出するおそれがある。４０μｍ以上であると、被膜形成時のクラック発生や運転中に剥離して潤滑状態が悪化するおそれがある。層厚さを１０μｍ以上４０μｍ未満の範囲とすることで、初期摩耗による金属基材の露出を防止でき、運転中における剥離を長期間にわたって防止できる。
【００３７】
本発明の転がり軸受用保持器は、摺動層が鉄系金属材料との密着性に優れ、また摺動面が油中においても耐摩耗性に優れているので、この保持器を備えた転がり軸受に好適である。特に油中で使用され、針状ころを転動体とした転がり軸受であるエンジンのコンロッド大端部軸受、コンロッド小端部軸受またはクランクシャフト支持軸である場合に好適である。
【００３８】
上記摺動層を有する転がり軸受用保持器の構造の一例を図５に示す。図５は針状ころを転動体とする転がり軸受用鉄系金属製保持器の斜視図である。
保持器１は、針状ころを保持するためのポケット２が設けられ、各ポケットの間に位置する柱部３と、この柱部３を固定する両側円環部４、５とで、各針状ころの間隔を保持する。柱部３は針状ころを保持するため、柱部の中央部で山折・谷折に屈曲され、両側円環部４、５との結合部において平面視円形の膨らみを有する平板の複雑な形状とされている。本保持器の製造方法は、素形材より円環を削り出し、ポケット２をプレス加工により打抜きで形成する方法、平板をプレス加工した後、適当な長さに切断し、円環状に丸めて溶接により接合する方法などを採用することができる。この保持器１の表面部位にフッ素樹脂被膜の摺動層が形成されている。摺動層を形成する保持器の表面部位は潤滑油またはグリースと接触する部位であり、針状ころと接触するポケット２の表面を含めた保持器１の全表面に摺動層を形成することが好ましい。
【００３９】
図６は転がり軸受の一実施例である針状ころ軸受を示す斜視図である。図６に示すように、針状ころ軸受６は複数の針状ころ７と、この針状ころ７を一定間隔、もしくは不等間隔で保持する保持器１とで構成される。エンジンのコンロッド部用軸受の場合、軸受内輪および軸受外輪は設けられず、直接に、保持器１の内径側にクランク軸やピストンピン等の軸が挿入され、保持器１の外径側がハウジングであるコンロッドの係合穴に嵌め込まれて使用される。内外輪を有さず、長さに比べて直径が小さい針状ころ７を転動体として用いるので、この針状ころ軸受６は、内外輪を有する一般の転がり軸受に比べて、コンパクトなものとなる。
【００４０】
上記針状ころ軸受を使用した４サイクルエンジンの縦断面図を図７に示す。
図７は本発明の転がり軸受の一例として針状ころ軸受を使用した４サイクルエンジンの縦断面図である。４サイクルエンジンは、吸気バルブ８ａを開き、排気バルブ９ａを閉じてガソリンと空気を混合した混合気を吸気管８を介して燃焼室１０に吸入する吸入行程と、吸気バルブ８ａを閉じてピストン１１を押し上げて混合気を圧縮する圧縮行程と、圧縮された混合気を爆発させる爆発行程と、爆発した燃焼ガスを排気バルブ９ａを開き排気管９を介して排気する排気行程とを有する。そして、これらの行程で燃焼により直線往復運動を行なうピストン１１と、回転運動を出力するクランク軸１２と、ピストン１１とクランク軸１２とを連結し、直線往復運動を回転運動に変換するコンロッド１３とを有する。クランク軸１２は、回転中心軸１４を中心に回転し、バランスウェイト１５によって回転のバランスをとっている。
【００４１】
コンロッド１３は、直線状棒体の下方に大端部１６を、上方に小端部１７を設けたものからなる。クランク軸１２は、コンロッド１３の大端部１６の係合穴に取り付けられた針状ころ軸受６ａを介して回転自在に支持されている。また、ピストン１１とコンロッド１３を連結するピストンピン１８は、コンロッド１３の小端部１７の係合穴に取り付けられた針状ころ軸受６ｂを介して回転自在に支持されている。
摺動性に優れた針状ころ軸受を使用することにより、小型化あるいは高出力化された２サイクルエンジンや４サイクルエンジンであっても耐久性に優れる。
【００４２】
図６では軸受として針状ころ軸受について例示したが、本発明の転がり軸受は、上記以外の円筒ころ軸受、円すいころ軸受、自動調心ころ軸受、針状ころ軸受、スラスト円筒ころ軸受、スラスト円すいころ軸受、スラスト針状ころ軸受、スラスト自動調心ころ軸受等としても使用できる。特に、油潤滑環境下で使用され、鉄系金属材料製保持器を使用する転がり軸受に好適に使用できる。
【実施例】
【００４３】
実施例１〜４および比較例１〜５
焼入焼戻し処理したクロムモリブデン鋼（ＳＣＭ４１５）製φ４４ｍｍ×幅２２ｍｍのニードル軸受保持器（基材表面硬度 Ｈｖ：４８４〜５９５）を準備して、下地層はダイキン社製プライマー塗料（型番：ＥＫ−１９０９Ｓ２１Ｒ）、第二のフッ素樹脂層にはダイキン社製トップ塗料（型番：ＥＫ−３７００Ｃ２１Ｒ）を用いて摺動層を形成した。乾燥時間はそれぞれ９０℃の恒温槽内で３０分間乾燥し、３８０℃の加熱炉内で３０分間焼成した。その後、被膜の融点が表１に示す所定の温度となるように電子線を照射した。比較例１は未照射とした。また、比較例３は摺動被膜の焼成段階でクラックが発生したため以後の電子線照射、評価試験は中止した。比較例４は下地層を形成することなく、直接第二のフッ素樹脂層を各実施例と同一の塗布液および条件で形成し、実施例２と同一の融点となるように電子線照射したものである。比較例５は焼入焼戻し処理したクロムモリブデン鋼（ＳＣＭ４１５）製φ４４ｍｍ×幅２２ｍｍのニードル軸受保持器表面に銀めっき層を有する例である。
【００４４】
融点の測定は、示差走査熱量分析計（エスアイアイ・ナノテクノロジー社製、製品名「ＤＳＣ６２２０」）を用いて行なった。測定試料には、フッ素樹脂被膜１０〜１５ｍｇを同社製密封式アルミ製試料容器（以下、アルミパン）に封入したものを使用し、リファレンスにはフッ素樹脂被膜と同量の酸化アルミニウム（Ａｌ2Ｏ3）をアルミパンに封入したものを使用した。測定条件に関しては、窒素フロー（２００ｍＬ／分）雰囲気下で、２℃／分の昇温速度にて３０℃から３７０℃まで昇温し、その温度で２０分間保持した後、２℃／分の降温速度にて３７０℃から４０℃まで降温させたことにより測定した数値である。昇温時の吸熱ピークのピークトップを融解ピーク温度とし、融点とした。
【００４５】
表面処理されたニードル軸受保持器を以下の方法で評価した。摩耗量試験装置の概要を図８に示す。
ＳＵＪ２製、焼入れ焼戻し処理ＨＲＣ６２、凹部表面粗さ０．１〜０．２μｍＲａの凹状相手材１９を垂直方向から回転軸に取り付けた保持器１に所定の荷重２０で押し付けた状態で、回転軸とともに保持器１を回転させることにより保持器１表面に施した被膜の摩擦特性を評価し摩耗量を測定した。測定条件は、荷重：４４０Ｎ、潤滑油：鉱油（１０Ｗ−３０）、滑り速度：９３０．６ｍ／分、測定時間：１００時間である。また、その時の剥離量を目視で観察することでＰＴＦＥ被膜の密着性についても評価した。剥離量が「大」とは最大剥離箇所の剥離面積が１ｍｍ2以上の場合であり、「小」とは最大剥離箇所の剥離面積が１ｍｍ2未満の場合である。なお凹Ｒ部半径は、保持器半径よりも２０〜５５μｍ大きい寸法で設定した。潤滑油は保持器の半分の高さまで浸漬する量を使用した。結果を表１に示す。
【００４６】
また、潤滑油浸漬試験片を用意し、以下に示す手法にて潤滑油浸漬試験に供した。結果を表１に示す。試験条件、試験片、測定方法等について以下に詳細を示す。
被膜を施した角棒３本を１５０℃の潤滑油〔ポリ−α−オレフィン：ルーカントＨＬ−１０（三井化学社製）にＺｎＤＴＰ（ＬＵＢＲＩＺＯＬ６７７Ａ、ＬＵＢＲＩＺＯＬ社製）を１重量％添加したもの〕２．２ｇに２００時間浸漬した後、潤滑油中に溶出した被膜成分の濃度（溶出量の単位、ｐｐｍ）を測定した。濃度測定は、蛍光Ｘ線測定〔蛍光Ｘ線測定装置：Ｒｉｇａｋｕ  ＺＳＸ１００ｅ（リガク社製）〕により定量した。試験片はＳＣＭ４１５製３ｍｍ×３ｍｍ×２０ｍｍの角棒を３本ずつ（合計表面積７７４ｍｍ2）用いた。
【００４７】
【表１】
2015194250.tif 000003
【産業上の利用可能性】
【００４８】
本発明の転がり軸受用保持器およびこの保持器を有する転がり軸受は、潤滑油中、高滑り速度、高面圧の条件下においても摩耗を抑制できるので、特に、潤滑油中で使用される転がり軸受の分野で使用できる。
【符号の説明】
【００４９】
１  保持器
２  ポケット
３  柱部
４  円環部
５  円環部
６  針状ころ軸受
７  針状ころ
８  吸気管
９  排気管
１０  燃焼室
１１  ピストン
１２  クランク軸
１３  コンロッド
１４  回転中心軸
１５  バランスウェイト
１６  大端部
１７  小端部
１８  ピストンピン
１９  凹状相手材
２０  荷重
【図１】
2015194250.tif 000004
【図２】
2015194250.tif 000005
【図３】
2015194250.tif 000006
【図４】
2015194250.tif 000007
【図５】
2015194250.tif 000008
【図６】
2015194250.tif 000009
【図７】
2015194250.tif 000010
【図８】
2015194250.tif 000011